(57)【特許請求の範囲】
【請求項１】
レール走行ボギー台車（９）上に支持された機械フレーム（５）と、バラスト吸出用のサクション口（２０）を有していて上下・左右移動調整可能のサクションパイプ（１９）を装備したサクションユニット（１４）と、該サクションユニット（１４）に配設されて吸出したバラストを搬出するためのベルトコンベヤユニット（２３）と、作業方向で見て前記サクションパイプ（１９）に後置された投入ホッパ（３１）を有するバラスト放出装置（３０）と、軌框扛上器ユニット（３９）とを備えた形式の、軌道（３）のバラスト道床施工機械（１）において、機械長手方向に延在させて配置された搬送装置（３３）が、サクションユニット（１４）に配設された受取り端部（３４）と、バラスト放出装置（３０）の投入ホッパ（３１）に配設された放出端部（３５）とを有し、かつ軌框扛上器ユニット（３９）が前記のバラスト吸出用のサクション口（２０）とバラスト放出装置（３０）との間に配置されていることを特徴とする、軌道のバラスト道床施工機械。
【請求項２】
搬送装置（３３）の受取り端部（３４）が、ベルトコンベヤユニット（２３）の放出端部（２６）の下位に設けられている、請求項１記載のバラスト道床施工機械。
【請求項３】
ベルトコンベヤユニット（２３）が、機械前端部を超えて張出すコンベヤ区分（２４）に加えて、サクションユニット（１４）の後端部を超えて張出す別のコンベヤ区分（４３）を有し、該コンベヤ区分の放出端部（２６）が搬送装置（３３）の受取り端部（３４）の上位に配置されており、かつ前記ベルトコンベヤユニット（２３）の回転駆動装置（２９）が両回転方向に選択的に回転可能に構成されている、請求項１又は２記載のバラスト道床施工機械。
【請求項４】
投入ホッパ（３１）が、投入口（４４）の下側及び軌道（３）の直ぐ上側に位置していて駆動装置（４５）によって制御可能な排出シュート（３２）を備えたバラストサイロとして構成されている、請求項１から３までのいずれか１項記載のバラスト道床施工機械。
【発明の詳細な説明】
【０００１】
【発明の属する技術分野】
本発明は、レール走行ボギー台車上に支持された機械フレームと、バラスト吸出用のサクション口を有していて上下・左右移動調整可能のサクションパイプを装備したサクションユニットと、該サクションユニットに配設されて吸出したバラストを搬出するためのベルトコンベヤユニットと、作業方向で見て前記サクションパイプに後置された投入ホッパを有するバラスト放出装置と、軌框扛上器ユニットとを備えた形式の、軌道のバラスト道床施工機械に関するものである。
【０００２】
【従来の技術】
前記形式のバラスト道床施工機械は、国際特許出願公開９４／１７２４５号明細書に基づいてすでに公知でありかつ軌道の道床バラストを吸出しかつそっくり交換するために使用される。枕木下領域から掻出し機構によって掻出された道床バラストは、サクションパイプを介して、機械フレームに装着されたバラスト貯蔵槽内へ達し、該バラスト貯蔵槽の排出口はベルトコンベヤユニットに配設されている。吸出された旧バラストは、該ベルトコンベヤユニットによって、作業方向で見て前方の機械前端部へ搬送され、かつバラスト道床施工機械に連結されたサイロ貨車に積み込まれる。これと同時にバラスト道床施工機械の後端部から新バラストの搬入が行われ、該新バラストは、サイロ貨車からバラスト放出装置の投入ホッパを介して、作業方向で見て前記掻出し機構の直ぐ後方の軌道領域内へ放出される。その場合軌框は放出領域で軌框扛上器ユニットによって所定の高さ位置に保持される。この公知技術では（全面的であれ、また部分的であれ）旧バラストの再利用は考慮されていない。
【０００３】
ドイツ連邦共和国特許出願公開第４１０４３２号明細書に基づいて軌框低下施工機械も公知である。ボギー台車に載設されて軌道を走行可能な機械フレームの、作業方向で見て前端部には、軌框扛上装置並びに、掻出し機構又は均し機構によって得られた所望の水準まで軌道から道床バラストを吸出するための上下移動調整可能な装置が配置されている。発生バラストはベルトコンベヤを介して、機械後端部に位置している装填ホッパに到達する。該装填ホッパ内には、バラストクリーニング用の篩い並びに該篩いによって篩い出された土砂を搬出するためのベルトコンベヤが位置している。軌框は後部ボギー台車の領域において、より低い新たなバラスト道床水準に自動的に位置せしめられ、かつ必要に応じて、装填ホッパからクリーニング済みバラストが枕木間に装填される。後の最終作業段階において軌道の枕木下は突固められる。
【０００４】
【発明が解決しようとする課題】
ところで本発明の課題は、冒頭で述べた形式の軌道のバラスト道床施工機械を改良して、公知の利点を維持したままで、バラスト道床の下に位置している施工基面（フォーメイションレベル）区分を更新乃至改修するために使用できるようにすることである。
【０００５】
【課題を解決するための手段】
前記課題を解決するための本発明の構成手段は、機械長手方向に延在させて配置された搬送装置が、サクションユニットに配設された受取り端部と、バラスト放出装置の投入ホッパに配設された放出端部とを有し、かつ軌框扛上器ユニットが前記のバラスト吸出用のサクション口とバラスト放出装置との間に配置されている点にある。
【０００６】
【作用】
本発明のように構成されたバラスト道床施工機械では、構造上の過剰経費が極く僅かで済むだけでなく、施工基面区分を更新・改修するために比較的長いバラストのない軌道区域を得ることが可能である。この場合の利点は、軌道から短時間除去される発生した旧バラストについては、バラスト道床施工機械に接続されたバラスト貯蔵貨車内に旧バラストを、特別に時間と操業費をかけて中間貯蔵する必要が全くない点にある。全発生バラストは事実上、サクションユニットと搬送装置と投入ホッパとによって構成される循環回路内に中間貯蔵することができる。バラスト道床施工機械の特別の構成に基づいて、特に有利なことには、バラスト掘出し操作に直接引続いて、露出した施工基面に工事を施すことが可能であり、かつバラスト道床施工機械の操業終了として、更新・改修された施工基面を即座にバラストで被覆することが可能であり、その場合このために特別の機械運用の必要はない。従って、改修のために要する軌道閉鎖時間は著しく短縮されると共に、機械もしくは車両の運用経費も節減される。
【０００７】
【実施例】
次に図面に基づいて本発明の実施例を詳説する。なお本発明によるバラスト道床施工機械は紙面上の都合により図１と図２に分けて図示されている。
【０００８】
図１及び図２に示した肉太の斜行一点鎖線から判るように、矢印４で示した作業方向に関して、軌道３のバラスト道床２を施工するためのバラスト道床施工機械１の後部部分は図１に、また前部部分は図２に図示されている。バラスト道床施工機械１は、長く延在した機械フレーム５を有し、該機械フレームは、前部フレーム部分６と、屈曲構成された後部フレーム部分７とに分節されている。前部フレーム部分６と後部フレーム部分７とはジョイント８を介して互いに運動自在に連結されており、かつ、機械フレーム５の長手方向両端部並びに前記ジョイント８の領域に設けられた全部で３基の前・中・後位のレール走行ボギー台車９を介して軌道３上に支持されている。また長手方向両端部には、夫々１つの運転室１０並びに、別の軌道作業車両と連結するための緩衝器付き連結器１１が設けられている。モータ１２は、走行駆動装置１３並びに、バラスト道床施工機械１の後述の駆動装置及び装置ユニットにエネルギを供給するために使用される。
【０００９】
前部フレーム部分６には、負圧発生器１５、フィルタ室１６、バラスト貯蔵槽１７及び該バラスト貯蔵槽へ開口する２本のサクションホース１８から構成されるサクションユニット１４が搭載されいる。機械横方向で離隔されて相互にほぼ平行に延在する各サクションホース１８の各自由端部は１本のサクションパイプ１９と接続されており、該サクションパイプは、バラストを吸出するためのサクション口２０を夫々１つ有している。各サクションパイプ１９はガイド機構２１を介して駆動装置２２によって上下・左右移動調整可能に後部フレーム部分７の屈曲域において該後部フレーム部分に装着されている。
【００１０】
フィルタ室１６とバラスト貯蔵槽１７との下位には、ベルトコンベヤユニット２３が機械長手方向に延在しており、かつ、機械前端部では上り勾配を成すコンベヤ区分２４を有している。該コンベヤ区分には、機械フレーム５つまり前部フレーム部分６に沿って長手方向に摺動可能に支承された積込みベルトコンベヤ２５が配設されており、該積込みベルトコンベヤは、配置転換のためのバラスト道床施工機械１の回送移動中に機械外部へ張出すことのない不作用位置へ押し込められる。機械長手方向で見て反対側の、ベルトコンベヤユニット２３の後端部は、やはり上り勾配を成して配置された放出端部２６を有し、該放出端部は、ジョイント８を超えて、後部フレーム部分７の上方にまで張出すように配置されている。
【００１１】
バラスト貯蔵槽１７もフィルタ室１６も共にその下面側に排出口２７を有し、該排出口はベルトコンベヤユニット２３の直ぐ上位に位置し、かつ夫々遠隔操作可能なフラップ弁２８を介して閉塞可能である。ベルトコンベヤユニット２３は、該ベルトコンベヤユニットを両方向に選択的に循環させるために構成された回転駆動装置２９を装備している。
【００１２】
作業方向で見てバラスト道床施工機械１の最後部に配置された後位のレール走行ボギー台車９の直前で、後部フレーム部分７には、バラストサイロとして構成されたバラスト放出装置３０が固定されており、該バラスト放出装置は、上方の開いた投入ホッパ３１と、軌道の直ぐ上位に位置する排出シュート３２とを備えている。高低調整可能であって旋回駆動装置３６を介して、機械横方向に延びる水平軸３７を中心として旋回可能な締固め桁材３８が、前記排出シュート３２の直ぐ前に配置されている。駆動装置４６を有する搬送装置３３が、後部フレーム部分７の屈曲域に沿って延びて該後部フレーム７の上面に装着されており、その場合該搬送装置３３の受取り端部３４は、ベルトコンベヤユニット２３の放出端部２６に配設されている。搬送装置３３の放出端部３５は投入ホッパ３１の上位に位置している。
【００１３】
後部フレーム部分７の屈曲域内においてサクションパイプ１９のサクション口２０と、機械長手方向で該サクション口から隔てられたバラスト放出装置３０の排出シュート３２との間に作業現場４０が位置し、該作業現場内では施工基面４７が露出されている。サクション口２０とバラスト放出装置３０との間の前記領域内に配置されていて駆動装置４１によって高低調整可能に機械フレーム５つまり後部フレーム部分７と連結された軌框扛上器ユニット３９は、サクション口２０からも排出シュート３２からも隔てられている。更に該作業現場４０には作業室４２が配設されており、該作業室は、サクションパイプ１９と中位のレール走行ボギー台車９との間で機械フレーム５と結合されており、かつ該作業室内には中央制御装置４８が搭載されている。
【００１４】
バラスト道床施工機械１の操業は、両方のサクションパイプ１９を降下させることによってバラストを連続的に吸出することで始まり、これによって作業現場４０を施工しつつ施工基面４７がその改修のために露出される。その場合、支承されず自由に浮動した状態にある軌框は、軌框扛上器ユニット３９によって原初位置に保持される。両サクションパイプ１９と締固め桁材３８との間で施工基面４７が露出されると直ちに、例えば局所的にバラスト道床施工機械１を停止させて施工基面４７の改修施工を開始することが可能である。施工基面ではなくて、固定構造物、例えば路橋を施工のために露出させることも勿論可能である。更新乃至改修作業が終了すると両サクションパイプ１９は引上げられて作業を停止され、バラスト道床施工機械１を連続的に前進させつつ排出シュート３２を相応に開放することによってバラストの再装入がスターとされる。排出シュート３２の駆動装置４５の制御は、後部の運転室１０内に搭乗している操作員によって実施されるのが有利である。前記バラストの再装入操作に並行して、締固め桁材３８を機械長手方向に往復運動させることによって、投下されたバラストの締固めが行われる。
【００１５】
前記の操業態様とは異なって勿論また、バラスト道床施工機械１の作業を連続的に進行させることと相俟って、これに連動して作業現場４０を移動させること、つまり作業現場４０の前端領域からバラストを連続的に吸出する一方、作業現場の後端領域ではバラストを連続的に投下して締固めることも可能である。
【００１６】
吸出されたバラストの汚染度が著しく強くて当該バラストの再使用がもはや不可能である場合には、該バラストは、ベルトコンベヤユニット２３に放出されて積込みベルトコンベヤ２５を介して、図２に一点鎖線で略示した前置の旧バラスト貯蔵貨車に供給される。この旧バラスト貯蔵貨車へのバラスト供給に並行して、機械後端部に連結された新バラスト貯蔵貨車（図１参照）から、新バラストが、投入ホッパ３１の投入口４４内へ装入され、かつ排出シュート３２を介して施工基面４７へ目標を定めて投下される。この新バラストは、吸出されて搬送装置３３を介して再装入される旧バラストが量的に不足している場合の補填量としても有利に供給することができる。
【図面の簡単な説明】
【図１】本発明によるバラスト道床施工機械の後部部分の側面図である。
【図２】本発明によるバラスト道床施工機械の前部部分の側面図である。
【符号の説明】
１    バラスト道床施工機械、  ２    バラスト道床、  ３    軌道、  ４  作業方向を示す矢印、  ５    機械フレーム、  ６    前部フレーム部分、  ７    後部フレーム部分、  ８    ジョイント、  ９    前・中・後位のレール走行ボギー台車、  １０    運転室、  １１    緩衝器付き連結器、  １２    モータ、  １３    走行駆動装置、  １４    サクションユニット、  １５    負圧発生器、  １６    フィルタ室、  １７    バラスト貯蔵槽、  １８    サクションホース、  １９    サクションパイプ、  ２０    サクション口、  ２１    ガイド機構、  ２２    駆動装置、  ２３    ベルトコンベヤユニット、２４    コンベヤ区分、  ２５    積込みベルトコンベヤ、  ２６    放出端部、  ２７    排出口、  ２８    フラップ弁、  ２９    回転駆動装置、  ３０    バラスト放出装置、  ３１    投入ホッパ、  ３２    排出シュート、  ３３    搬送装置、  ３４    受取り端部、  ３５    放出端部、  ３６    旋回駆動装置、  ３７    水平軸、  ３８    締固め桁材、  ３９    軌框扛上器ユニット、  ４０    作業現場、  ４１    駆動装置、  ４２    作業室、  ４３    コンベヤ区分、  ４４    投入口、  ４５    駆動装置、  ４７    施工基面、  ４８    中央制御装置
【図１】
0003834107.tif 000002
【図２】
0003834107.tif 000003